【事件の表示】
　特願２００９−５０７６０５「製品を運搬し、且つ製品をバッファするためのバッファーコンベア」拒絶査定不服審判事件〔平成１９年１１月　１日国際公開、ＷＯ２００７／１２３４０１、平成２１年１０月１５日国内公表、特表２００９−５３６６０１〕について、次のとおり審決する。
【結　論】
　本件審判の請求は、成り立たない。
【理　由】
１．手続の経緯
　本願は、２００７年４月２０日（パリ条約による優先権主張　外国庁受理　２００６年４月２４日、欧州特許庁、２００６年１１月２０日、オランダ）を国際出願日とする出願であって、平成２０年１０月２２日に国内書面が提出され、平成２４年９月２５日付けで拒絶理由が通知され、平成２５年２月４日に意見書及び特許請求の範囲を補正する手続補正書が提出されたが、平成２５年５月２９日付けで拒絶査定がされ、平成２５年１０月４日に拒絶査定不服審判が請求され、その後、平成２５年１１月１５日に審判請求の請求の理由を補正する手続補正書（方式）が提出されたものである。
　
　
２．本願発明
　本願の請求項１に係る発明（以下「本願発明」という。）は、平成２５年２月４日に提出された手続補正書により補正された明細書、特許請求の範囲及び図面の記載によれば、特許請求の範囲の請求項１に記載された事項により特定される以下のとおりのものと認める。
「製品を運搬し、且つ前記製品をバッファするためのバッファーコンベアであって、
　少なくとも１つの第１の細長いコンベアにおいて、第１の方向に駆動されることができ、且つ供給端部を有する前記第１の細長いコンベアと、
　第２の反対方向に駆動されることができ、且つ排出端部を有する第２の細長いコンベアにおいて、前記第１の細長いコンベア及び前記第２の細長いコンベアが互いに少なくとも略平行であり、且つ互いに隣接する運搬経路に延在する前記第２の細長いコンベアであって、前記運搬経路が水平方向平面において少なくとも湾曲し、且つ、垂直方向に少なくとも部分的に延在している、前記第２の細長いコンベアと、
　移動ユニットであって、前記移動ユニットが水平方向かつ垂直方向に動くように、前記運搬経路において、前記第１の細長いコンベア及び前記第２の細長いコンベアに少なくとも略平行に移動可能であり、且つ前記第１の細長いコンベアから前記第２の細長いコンベアへ前記製品を移動するための移動装置が設けられ、前記移動ユニットを移動するための駆動ユニットを備える前記移動ユニットと、
を備えているバッファーコンベアにおいて、
　前記移動ユニットの前記駆動ユニットは、駆動モータを備え、前記駆動モータは、前記移動ユニットの少なくとも垂直方向の動きを追従する方法で、前記移動ユニットに接続されることを特徴とするバッファーコンベア。」
　
　
３．引用刊行物
（１）刊行物１
　ア．刊行物１の記載事項
　原査定の拒絶の理由に引用された、本願の優先日前に頒布された刊行物である特表２００２−５３５２１７号公報（以下「刊行物１」という。）には、図面と共に次の事項が記載されている。
　
ａ）「【請求項１】  第１方向に駆動されて、物品をコンベアの長さに沿って前記第１方向に搬送するインフィード・コンベアと、反対方向に駆動されて物品をコンベアの長さに沿って前記反対方向に搬送するアウトフィード・コンベアとを具え、
　前記インフィード及びアウトフィード・コンベアは互いに間隔を置いてほぼ平行に配置されて、両者の間に空間を規定し、
　前記空間をほぼ横断し且つそれに沿って可動に設置された可動搬送部材を具え、前記搬送部材は、さらに前記インフィード及びアウトフィード・コンベアによって同時に共通の駆動表面に駆動係合される一体的な回転可能部材を具え、それによって前記回転可能部材は、前記インフィード及びアウトフィード・コンベアのいずれかが移動するにつれて連続的に回転し、前記インフィード及びアウトフィード・コンベア間に相対速度差が存在する場合には、前記搬送部材は前記空間に沿って前記インフィード及びアウトフィード・コンベアの中の速い方の方向に走行し、
　前記搬送部材に担持され、前記インフィード及びアウトフィード・コンベアの間に作用的に設置されて、前記回転可能部材が前記インフィード及びアウトフィード・コンベアに対して回転する際に、前記インフィード・コンベアと前記アウトフィード・コンベアの間で物品を移転させる物品移転部材とを具えることを特徴とする物品の流れを制御するための装置。
　・・・
　　【請求項１５】  前記インフィード及びアウトフィード・コンベアは、前記インフィード及びアウトフィード・コンベアの実質的な部分が垂直方向に延びた螺旋状をなすように支持構造体に支持され、少なくとも一つの駆動モータが前記コンベアの各々に対し各螺旋層毎に設けられていることを特徴とする請求項１２に記載の装置。
　　【請求項１６】  前記インフィード及びアウトフィード・コンベアがエンドレス・コンベアであることを特徴とする請求項１５に記載の装置。」（【請求項１】ないし【請求項１６】）
　
ｂ）「 【０００１】
　　（発明の背景）
　本発明は、上流の送り出しステーションから下流の受け入れステーションへの物品の流れを制御する装置に関し、特に上流の送り出しステーションと下流の受け入れステーションとの間に物品を集積して、先入れ先出し（ＦＩＴＯ）の順序で下流の受け入れステーションに供給することのできる装置に関する。
　・・・
　　　【０００４】
　本発明は、上流の送り出しステーションが、内容物をパッケージ内に入れてこれを下流の受け入れステーションに供給するための充填ステーションであり、下流の受け入れステーションはこのパッケージを箱に入れるのに使用されるように適合されている。これは、勿論、上流の送り出しステーションと下流の受け入れステーションとの間で物品の流れの速度を制御することが必要な多くの異なる産業で使用することが可能である。」（段落【０００１】ないし【０００４】）
　
ｃ）「 【０００５】
　　（発明の要約）
　本発明の目的の一つは、上流の送り出しステーションから下流の受け入れステーションへの物品の流れを制御し、物品を両者の間に一時的に貯留し、そこに貯留された最初の物品を制御された流れの中に最初に供給して（ＦＩＦＯ）、内側のみでなく入口並びに次の機械における圧力による損傷或いは摩耗を最小にすることにある。
　・・・
　　　【０００７】
　本発明のさらに別の重要な目的は、比較的小さい床のスペースに多数の物品を貯留することができ、それによって上流の送り出しステーションと下流の受け入れステーションとの間の距離を減少させることができる物品貯留集積装置を提供することにある。
　　　【０００８】
　本発明のさらに別の目的は、下流の受け入れステーションの要求に自動的に応じて作動し、物品を下流の受け入れステーションに先入れ先出し（ＦＩＦＯ）の順序で送り出す前に物品を一時的に貯留する集積装置を提供することにある。
　・・・
　　　【００１１】
　本発明のさらに他の重要な目的は、垂直に延在する螺旋形状に構成された動くコンベア・システム上に、物品を垂直に積み重ねて配置するように集積する装置を提供することにある。
　　　【００１２】
　本発明のさらに別の重要な目的は、動くコンベア上に物品を一時的に貯留する集積装置であって、下流の受け入れステーションの能力に応じて、この動くコンベアへの荷積みと荷卸しを可能にする集積装置を提供することにある。
　　　【００１３】
　本発明のもう一つの重要な目的は、インフィード・コンベアとアウトフィード・コンベアとを用いて、インフィード・コンベアとアウトフィード・コンベアの走行の相対速度に応じた割合で物品を一時的に貯留する集積装置を提供することにある。
　 ・・・
　　　【００１６】
　上述の目的は、メイン・コンベア上を上流の送り出しステーションから下流の受け入れステーションに搬送される物品の流れを、下流の受け入れステーションの能力に応じて制御する装置によって達成される。この装置は、エンドレスのインフィード・コンベアとエンドレスのアウトフィード・コンベアとを具えている。これらのコンベアの実質走行部分が互いに平行になって両者の間に空間を提供するように、支持構造体がインフィード・コンベアとアウトフィード・コンベアを支えている。軌道がこの支持構造体によって担持されている。この軌道は、インフィード及びアウトフィード・コンベアの平行な走行部分に沿って延在している。搬送部材が、インフィード及びアウトフィード・コンベアの間に設けられた空間に前記軌道によって担持され、インフィード及びアウトフィード・コンベアの長さに沿って運動可能になっている。
　　　【００１７】
　インフィード駆動機構がインフィード・コンベアを一方向に駆動し、アウトフィード駆動機構がアウトフィード・コンベアを第２の方向に駆動する。物品をメイン・コンベアからインフィード・コンベア上へ移送するのに、偏向プレートその他の適宜な機構が使用される。回転可能部材が搬送部材によって担持されている。インフィード・コンベアと回転可能部材との間に駆動カプリングが設けられ、これを通じてインフィード・コンベアが回転可能部材を回転させる。回転可能部材とアウトフィード・コンベアとの間にも駆動カプリングが設けられて回転可能部材を回転させ、搬送部材をガイド軌道に沿って、インフィード及びアウトフィード・コンベアの相対走行速度に応じて一つの方向に動かす。搬送部材がガイド軌道に沿って動くにつれて、物品をインフィード・コンベアからアウトフィード・コンベアに沿った一つの位置に移転させるための物品移転部材が搬送部材に担持されている。」（段落【０００５】ないし【００１７】）
　
ｄ）「 【００１９】
　　（好適実施形態の詳細な説明）
　図１、２、３及び４を参照すると、上流の送り出しステーション（図４）から下流の受け入れステーションへの物品の流れを制御するための装置が示されている。これらの物品は、上流の送り出しステーションから物品１０を搬送するための従来の任意のコンベア駆動機構によって駆動されるメイン・コンベア１２上を運ばれている。これらの物品は、それらが偏向レール１４に達するまでメイン・コンベア１２に沿って供給され、そこでメイン・コンベア１２からそれてインフィード・コンベアＡ上に移る。このインフィード・コンベアＡはエンドレスのコンベアであり、変速モータ１６によって駆動される。
　　　【００２０】
　アウトフィード・コンベアＢは支持構造の上に担持されている。図を明瞭にする目的で垂直ポスト１８のみが示されている。インフィード及びアウトフィード・コンベアＡ及びＢの実質的な走行部分は互いに平行であって、両者の間には空間２０が設けられている。
　　　【００２１】
　搬送部材Ｄが支持構造に担持された軌道上に載っており、軌道はこの搬送部材Ｄがインフィード及びアウトフィード・コンベアＡ及びＢの長さに沿って前後に動くことを可能にしている。インフィード駆動機構１６はインフィード・コンベアＡを第１の方向に駆動する。アウトフィード駆動機構２２はアウトフィード・コンベアＢを第２の方向に駆動する。変速制御装置２４が、アウトフィード・コンベアの速度を変えるためにアウトフィード駆動機構に作用的に連結されている。
　　　【００２２】
　図１０と図１１に示されている回転可能部材Ｅが、搬送部材Ｄに担持されている。ドライバＦがインフィード・コンベアＡに担持され、回転可能部材を回転させるために回転可能部材Ｅに係合している。ドライバＧがアウトフィード・コンベアＢに担持され、インフィード・コンベアＡとアウトフィード・コンベアＢの相対速度に応じた速度と方向に回転可能部材を回転させて、前記搬送部材Ｄをインフィード・コンベアＡとアウトフィード・コンベアＢに平行な経路に沿って動かすために、回転可能部材Ｅに係合している。物品移転部材Ｈが、物品をインフィード・コンベアＡからアウトフィード・コンベアＢに偏向させるために、搬送部材Ｄに担持されている。
　　　【００２３】
　アウトフィード・コンベアの速度は、変速モータ２２によって制御されており、アウトフィード・コンベアＢの速度がインフィード・コンベアＡの速度よりも遅く走行している場合には、図１、図２及び図３に示されているように、搬送部材は反時計方向に移動して、物品を一時的に集積装置に貯留するためにインフィード・コンベアとアウトフィード・コンベアＢの表面上に物品を荷積みする。
　　　【００２４】
　下流の受け入れステーションからの要求が増大すると、コンベアＢとコンベア１２の側面に沿って位置している状況反応装置３２と３４によって信号が発せられる。これらの装置はアウトフィード・コンベアＢの速度を増加させて、インフィード・コンベアの速度よりも大きくする。そうなると、インフィード及びアウトフィード・コンベアＡ及びＢの間の駆動連結によって、搬送部材Ｄが時計方向に移動し、インフィード及びアウトフィード・コンベアＡ及びＢ上に貯留されている物品の数が減少され、貯留されていた最初の物品がアウトフィード・コンベアＢから送り出される最初の物品になる。搬送部材Ｄとインフィード及びアウトフィード・コンベアＡ及びＢとの間の駆動連結については、後で詳述する。」（段落【００１９】ないし【００２４】）
　
ｅ）「 【００２９】
　搬送部材Ｄを図２に示された位置から図１に示された位置まで動かすためには、インフィード・コンベアＡの速度がアウトフィード・コンベアＢの速度より高速で走行しなければならない。その結果、搬送部材Ｄが反時計方向に動かされると、物品を貯留するために搬送部材は物品をインフィード・コンベアＡからアウトフィード・コンベアＢに荷積みする。前述したように、下流の受け入れステーションにおける要求が増加すると、アウトフィード・コンベアＢの速度は増加してインフィード・コンベアＡの速度を上回り、インフィード及びアウトフィード・コンベアと搬送部材Ｄとの間に設けられた連結の故に、搬送部材Ｄは図１に示された位置から図２に示された位置まで時計方向に動かされ、集積装置に貯留された物品を荷卸しする。
　　　【００３０】
　インフィード・コンベアＡとアウトフィード・コンベアＢの平行走行部分の形状は、集積装置のために利用されることが望まれる床のスペースの大きさに応じて可変である。図１と図２においては、インフィード及びアウトフィード・コンベアの形状は螺旋状である。図３においても、インフィード・コンベアＡとアウトフィード・コンベアＢの形状は螺旋状であるが、これは延伸された中間部分を有している。充分な床スペースがある場合には、二つのコンベアＡとＢの走行部分は水平面内にあることが可能である。
　　　【００３１】
　図４に示されるように、インフィード・コンベアＡとアウトフィード・コンベアＢの形状は垂直な螺旋状であり、実質的な貯留量が比較的小さいスペース内に収められ得る。或る場合には、螺旋の高さが増大するにつれて、軌道上でのコンベアの抗力を少なくするためにインフィード及びアウトフィード・コンベアを螺旋の垂直経路に沿って駆動することが必要である。この駆動機構は図４に模式的に示され、詳細には図１３を参照して後述されるであろう。
　　　【００３２】
　図４から判るように、インフィード・コンベアＡとアウトフィード・コンベアＢはエンドレス・コンベアである。インフィード・コンベアＡはモータ１６によって駆動され、その経路はメイン・コンベア１２に隣接する箇所から上方に螺旋状に延在し、駆動スプロケット３６を越えて垂直に下ってアイドル・スプロケット３８を経由し、コンベアを垂直な螺旋状に保持している軌道まで戻っている。コンベアを保持するこの軌道は、任意の適宜な構造のものであればよく、垂直な柱１８と筋かい（図を判りやすくするために図示していない）に支えられている。アウトフィード・コンベアＢは、駆動スプロケット４０を介してアウトフィード駆動モータ２２によって駆動されている。コンベア・ベルトＢはその走行経路のアイドル・スプロケット４２と４４を周回している。
　　　【００３３】
　インフィード・コンベアＡとアウトフィード・コンベアＢは、連結リンクを有する任意の適宜な従来型のチェーン・ベルトで構成されたものであってもよく、特別な一実施形態においては、図５と図６に示されているように上部表面を持っている。下部表面は、インフィード駆動モータ１６の出力シャフトに担持されたスプロケットに設けられた歯に係合する駆動突起４６をその上に有している。アウトフィード・コンベアＢは、アウトフィード駆動モータ２２の出力シャフトに取付けられたスプロケットに設けられた歯に係合している。
　　　【００３４】
　駆動リンク４６は、コンベア・ベルトＡとＢが軌道５８と６０に載ることができるように設けられた溝を有している。この軌道は、図９に示されているように、二つの細長いスペース・ストリップ６２と６４によって規定されている。柱４８の形態のドライバＦが、インフィード・コンベアＡの各リンク５０の下部表面に担持されている。柱５２の形態の同じようなドライバＧが、アウトフィード・コンベアＢの各リンク５４の下部表面に設けられている。柱４８と５２は、それぞれリンク５０と５４から下向きに延びて、回転可能部材Ｅに設けられた歯６１に係合している。図１０に示されているように、インフィード・コンベアＡが、アウトフィード・コンベアＢが左に移動するよりも高速で右に移動している場合には、回転可能部材Ｅの歯６１と係合している柱４８と５２は、回転可能部材Ｅを回転させてこれを右に動かす。例えば、ここに描かれている仮想線の位置がそれである。しかし、インフィード・コンベアが右に移動するよりも高速でアウトフィード・コンベアＢが左に動く場合には、回転可能部材は、それが回転するにつれて左にずれるであろう。」（段落【００２９】ないし【００３４】）
　
ｆ）「 【００５４】
　　（作用の概要）
　図２に注目する。図２から判るように、物品１０はメイン・コンベア１２からエンドレス・コンベアであるインフィード・コンベアＡに供給されている。次ぎに物品はインフィード・コンベアＡ上を移動し、搬送部材に担持された偏向プレートＨに係合するまでインフィード・コンベアＡを上昇・周回する。偏向プレートＨは、インフィード・コンベアＡから出た物品を可動搬送部材Ｄを越えてアウトフィード・コンベアＢの方に方向変換する。アウトフィード・コンベアＢの速度がインフィード・コンベアＡの速度と同じ場合には、物品は単に搬送部材Ｄのデッドプレート８４を越えて移動し、メイン・コンベア１２上に戻される。しかし、例えば下流の受け入れステーションから物品に対する要求が無い場合には、アウトフィード・コンベアが停止する結果として、搬送部材Ｄは螺旋を反時計方向に周回して移動し、インフィード・コンベアＡ上に供給されている物品をアウトフィード・コンベアＢ上に整列させる。この作用は、搬送部材Ｄが螺旋の頂部に達するまで続き、そこで搬送部材は集積装置全体を停止させるリミット・スイッチに係合する。
　　　【００５５】
　しかし、螺旋の頂部に達する以前に、下流の受け入れステーションが物品をメイン・コンベア１２から取り始めると、状況反応装置３２と３４によって信号が発せられて、アウトフィード・コンベアＢを駆動するモータ２２がスイッチ・オンされる。アウトフィード・コンベアＢはインフィード・コンベアＡよりも高速で走行を始め、その結果、物品はアウトフィード・コンベアＢからメイン・コンベア１２上に順次に戻される。インフィード・コンベアＡに供給されつつある到来物品１０は、アウトフィード・コンベア上に連続的に荷積みされるが、搬送部材が時計方向に移動する結果として、集積装置が完全に空になるまで、集積装置内の物品の数は減少する。搬送部材が螺旋の底部に達すると、搬送部材は別のリミット・スイッチに係合し、さらなる動きが停止される。
　　　【００５６】
　搬送部材Ｄの動きは、インフィード及びアウトフィード・コンベアＡとＢの速度によって制御される。ここで図１０を参照すると、インフィード・コンベアＡとアウトフィード・コンベアＢには、回転可能部材Ｅの歯に係合する柱４８と５２がその上に設けられている。インフィード・コンベアＡの速度がアウトフィード・コンベアＢの速度と同じ場合には、回転可能部材Ｅを担持する搬送部材Ｄは同じ位置に留まっている。しかし、インフィード・コンベアに対してアウトフィード・コンベアＢが遅くなると、図１０に示されているように可動部材は右に移動し、アウトフィード・コンベアＢの速度が増大してさらに多くの物品を下流の受け入れステーションに送り出すまで、物品はアウトフィード・コンベアＢに沿って荷積みされる。
　　　【００５７】
　アウトフィード・コンベアの速度がインフィード・コンベアより増大すると、搬送部材が回転可能部材Ｅを回転させて左に動かし、集積装置の荷卸しを行う。
　　　【００５８】
　この集積装置の利点の一つは、入って来た最初の物品が出て行く最初の物品になること（ＦＩＦＯ）であり、その結果、上流の送り出しステーションから供給された物品の順序が常に維持されている。
　　　【００５９】
　上流の送り出しステーションから物品が供給されると、正常な場合には物品同士の間に一定の空間が存在している。インフィード・コンベアＡの速度はメイン・コンベア１２の速度より遅く、その結果、物品１０がメイン・コンベア１２からインフィード・コンベアＡに移転させられると、物品同士は間に非常に小さい空間を置いて互いに接近して位置決めされる。物品１０がアウトフィード・コンベアからメイン・コンベア１２に戻されると、物品同士の間には空間が生じる。
　　　【００６０】
　物品はコンベアＡとＢの表面に対しては動かないので、物品が集積装置に貯留され、そこから取り出される際に、物品間では殆ど擦れはない。このため、物品に付けられたラベルが損傷したり剥がれたりすることが少なくなる。
　　　【００６１】
　状況反応装置２６、２８、３０、３２、３４は、プログラム可能な論理制御装置を介してコンベアの速度を制御する。例えば、下流の受け入れステーションが物品１０を受け入れることを停止すると、物品１０はメイン・コンベア１２上で停滞し、光電池３４はこの停滞を感知し、ＰＬＣに信号を送ってアウトフィード・コンベアＢの速度を減速させる。物品の停滞が状況反応装置３２まで延びると、物品同士の間の空間が消失する結果として、状況反応装置３２は信号を発し、この信号はＰＬＣに供給されてアウトフィード・コンベアＢを停止させる。これによって、物品は螺旋の底部から頂部まで集積装置に荷積みされる。
　　　【００６２】
　搬送部材Ｄが螺旋の頂部に達する前に、下流の受け入れステーションが更に多くの物品を受け入れ可能なことを示す信号が受信されると、ＰＬＣは状況反応装置３２と３４の制御の下に、アウトフィード・モータ２２に信号を送って、アウトフィード・コンベアＢの速度をインフィード・コンベアＡの速度よりも増大させる。これが起こると、集積装置に貯留されている物品はアウトフィード・コンベアＢによってメイン・コンベア１２上に戻され、下流の受け入れステーションに供給される。集積装置に入ってインフィード・コンベアＡ上に供給されつつある物品は、アウトフィード・コンベアによって物品が集積装置から取り出されるよりも遅い速度なので、これによって、集積装置が完全に空になるまで搬送部材は時計方向に動かされる。」（段落【００５４】ないし【００６２】）
　
　イ．刊行物１の記載事項及び図面に示された内容から分かること
ｇ）上記ア．ｃ）の記載及び図１ないし４に示された内容によれば、物品を搬送し、且つ前記物品を一時的に貯留するための集積装置であることが分かる。
　
ｈ）上記ア．ｃ）の段落【００１７】及びｄ）の段落【００２１】の記載並びに図１ないし４に示された内容によれば、細長いインフィード・コンベアＡにおいて、第１の方向に駆動されることが分かるとともに、細長いアウトフィード・コンベアＢにおいて、第２の反対方向に駆動されることが分かる。
　
ｉ）上記ア．ｄ）の段落【００１９】及び【００２４】並びにｆ）の記載と、図１ないし４に示された内容によれば、細長いインフィード・コンベアＡにおいて、物品が供給される端部を有することが分かるとともに、細長いアウトフィード・コンベアＢにおいて、物品が送り出される端部を有することが分かる。
　
ｊ）上記ア．ａ）の【請求項１】及びｄ）の段落【００２０】の記載並びに図１ないし４に示された内容によれば、細長いインフィード・コンベアＡ及び細長いアウトフィード・コンベアＢが互いに略平行であり、且つ互いに隣接する搬送経路に延在することが分かる。
　
ｋ）上記ア．ａ）の【請求項１５】、ｃ）の段落【００１１】並びにｅ）の段落【００３０】及び【００３１】の記載と、図１ないし４に示された内容によれば、細長いインフィード・コンベアＡ及び細長いアウトフィード・コンベアＢは、直線の部分と垂直方向に延びた螺旋状の部分とからなっており、搬送経路が水平方向平面において湾曲し、且つ、垂直方向に部分的に延在していることが分かる。
　
ｌ）上記ア．ｄ）の段落【００２２】の記載、図１ないし４に示された内容及び上記ｋ）によれば、搬送部材Ｄが水平方向かつ垂直方向に動くように、細長いインフィード・コンベアＡ及び細長いアウトフィード・コンベアＢと略平行な経路に沿って移動可能であることが分かる。
　
ｍ）上記ア．ａ）の【請求項１】及び段落【００２２】の記載並びに図１ないし４に示された内容によれば、搬送部材Ｄには、細長いインフィード・コンベアＡから細長いアウトフィード・コンベアＢへ物品を移転するための物品移転部材Ｈが担持されることが分かる。
　
ｎ）上記ア．ａ）の【請求項１】、ｃ）の段落【００１７】及びｄ）の段落【００２２】の記載並びに図１ないし４に示された内容によれば、搬送部材Ｄは、搬送部材Ｄを移動するための回転可動部材Ｅを担持することが分かる。
　
ｏ）上記ア．ａ）の【請求項１】、ｃ）の段落【００１７】、ｄ）の段落【００２２】及びｅ）の段落【００３４】の記載並びに図１ないし４及び図１０に示された内容によれば、搬送部材Ｄの回転可動部材Ｅは、歯６１が設けられ、細長いインフィード・コンベアＡに設けられたドライバＦと前記歯６１が係合して、前記細長いインフィード・コンベアＡにより回転され、また、細長いアウトフィード・コンベアＢに設けられたドライバＧと前記歯６１が係合して、前記細長いアウトフィード・コンベアＢによっても回転され、前記細長いインフィード・コンベアＡ及び前記細長いアウトフィード・コンベアＢ間に相対速度差が存在する場合には、前記搬送部材Ｄを経路に沿って前記細長いインフィード・コンベアＡ及び前記細長いアウトフィード・コンベアＢの中の速い方の方向に移動させることが分かる。
　
　ウ．引用発明
　上記ア．及び上記イ．を総合して、本願発明の表現にならって整理すると、刊行物１には、次の事項からなる発明（以下「引用発明」という。）が記載されていると認めることができる。
「物品を搬送し、且つ前記物品を一時的に貯留するための集積装置であって、
　１つの細長いインフィード・コンベアＡにおいて、第１の方向に駆動されることができ、且つ前記物品が供給される端部を有する前記細長いインフィード・コンベアＡと、
　第２の反対方向に駆動されることができ、且つ前記物品が送り出される端部を有する細長いアウトフィード・コンベアＢにおいて、前記細長いインフィード・コンベアＡ及び前記細長いアウトフィード・コンベアＢが互いに略平行であり、且つ互いに隣接する搬送経路に延在するようにされた前記細長いアウトフィード・コンベアＢであって、前記搬送経路が水平方向平面において湾曲し、且つ、垂直方向に部分的に延在している、前記細長いアウトフィード・コンベアＢと、
　搬送部材Ｄであって、前記搬送部材Ｄが水平方向かつ垂直方向に動くように、前記細長いインフィード・コンベアＡ及び前記細長いアウトフィード・コンベアＢと略平行な経路に沿って移動可能であり、且つ前記細長いインフィード・コンベアＡから前記細長いアウトフィード・コンベアＢへ前記物品を移転するための物品移転部材Ｈが担持され、前記搬送部材Ｄを移動するための回転可動部材Ｅを担持する前記搬送部材Ｄと、
を備えている集積装置において、
　前記搬送部材Ｄの前記回転可動部材Ｅは、歯６１が設けられ、前記細長いインフィード・コンベアＡに設けられたドライバＦと前記歯６１が係合して、前記細長いインフィード・コンベアＡにより回転され、また、前記細長いアウトフィード・コンベアＢに設けられたドライバＧと前記歯６１が係合して、前記細長いアウトフィード・コンベアＢによっても回転され、前記細長いインフィード・コンベアＡ及び前記細長いアウトフィード・コンベアＢ間に相対速度差が存在する場合には、前記搬送部材Ｄを前記経路に沿って前記細長いインフィード・コンベアＡ及び前記細長いアウトフィード・コンベアＢの中の速い方の方向に移動させる集積装置。」
　
（２）刊行物２
　エ．刊行物２の記載事項
　原査定の拒絶の理由に引用された、本願の優先日前に頒布された刊行物である特開昭５９−５３３１５号公報（以下「刊行物２」という。）には、図面と共に次の事項が記載されている。
　
ｐ）「この発明は工場の生産ライン、物流配送センタおよび倉庫等のコンベヤシステムにおける供給および放出の物流量を調整をなし得るようにしたコンベヤ装置に関するものである。
　近年、　・・・（中略）・・・　コンベヤの円滑な運転が困難になるために品物の停滞を計るアキユムレーシヨンコンベヤの設置が必要とされるが、この様なアキユムレーシヨンコンベヤの設置に際しては設置場所や機能上の制約等による問題がある。すなわち、供給側の入荷量が、放出側の仕分量より多いときは入荷の待機時間が長くなるのでアキユムレーシヨンコンベヤを長くせねばならず、この様な長いアキユムレーシヨンコンベヤでは入荷量が少なくなつた場合に長いアキユムレーシヨンコンベヤを通るために必要以上に長時間アキユムレーシヨンコンベヤ上に品物が停滞することになる。従つて、設置場所の制限や設置費等の点から上述の問題の解決が必要とされている。　・・・（中略）・・・　これによつて供給量と放出量とのバランスを容易に計ることができるようにしたコンベヤ装置を提供することにある。」（１ページ左下欄１８行ないし２ページ右上欄５行）
　
ｑ）「この発明のコンベヤ装置１におけるアキユムレーシヨンコンベヤ２０は第１図に示される様に主ラインである中間コンベヤ５に対して直角または平行等どの様な位置にても取出しできるよう設けられるもので、図示実施例では取出し、送出し側に補助用のコンベヤ１４，１５を介して中間コンベヤ５に対して直角に且つ相互に平行に設けられた２つの直線状のコンベヤ２２，２３と、これらコンベヤ２２，２３を連結する移動可能な方向転換装置すなわちトラバーサ２４とから構成されている。
　第２図乃至第４図に示される様に、この発明のコンベヤ装置のアキユムレーシヨンコンベヤ２０の直線状の２つの平行なコンベヤ２２，２３は図示実施例ではベルトコンベヤが用いられているが、ローラコンベヤやコロコンベヤ等の他のコンベヤを用いることも勿論できる。アキユムレーシヨンコンベヤ２０のトラバーサ２４はコンベヤ２２, ２３に沿つて走行可能に、コンベヤ２２，２３間に平行に設けられたレール２６上を走行する移動台車２７と、この移動台車２７上に支持されていて一方のコンベヤ２２から搬送物を受取る受台２８と、他方のコンベヤ２３へ搬送物を移す送出し台２９と、受台２８および送出し台２９間を連接する彎曲コンベヤ３０とから成つている。移動台車２７はレール２６上を走行する複数組の車輪３１によつて移動可能で、少なくとも１組の車輪３１が適宜な原動機３２、図示実施例では電動機、により駆動されるようになつている。この移動台車２７上に半円形の彎曲ローラ３０が取付けられており、その一端に受台２８が、他端に送出し台２９が夫々設けられている。受台２８は一対のフレーム部材３３と、これらフレーム部材３３により回転可能に支持されたローラ３４，３５とを有し、各フレーム部材３３は車輪３４によりコンベヤ２２のフレーム上面３８に沿つて、且つ車輪３５によりコンベヤ２２のフレーム側面３９に沿つて移動可能に案内されるようになつている。また、コンベヤ２２の上側のベルト２５はフレーム部材３３のローラ４１，４２に図示の如く掛けられており、コンベヤ２２により搬送されてきた搬送物を彎曲コンベヤ３０に移すことができるようになつている。彎曲コンベヤ３０は受台２８側が高く、送出し台２９側が低くなつており、コンベヤ２２から受け取つた搬送物を受台２８側から送出し台２９側に彎曲コンベヤ３０に沿って移動できるようになつている。彎曲コンベヤ３０の送出し側に取付けられた送出し台２９は上面が平らで傾斜して、搬送物をコンベヤ２３上に移すことができるようになつており、コンベヤ２３のフレーム上面４０に沿つて車輪４４により案内されるようになつている。
　従つて、この様に構成されたアキユムレーシヨンコンベヤ２０が組込まれたこの発明のコンベヤ装置１においては、複数個の供給コンベヤ３から随時供給される搬送物は合流コンベヤ４にて合流して供給ライン２により搬送される。このときに供給ライン２における入荷量と、放出ライン６における放出量とがバランスしていれば、搬送物は供給ライン２から直接に中間コンベヤ５を介して放出ライン６に搬送されて所要の如く仕分けられる。しかし、いま供給量の方が仕分けられる放出量よりも多いときには、中間コンベヤ５の方向転換機構１２によつて搬送物の一部がアキユムレーシヨンコンベヤ２０に送り込まれる。すなわち、方向転換機構１２により搬送方向が変換された搬送物は連結用のコンベヤ１４を介してアキユームレーシヨンコンベヤ２０のコンベヤ２２に送り込まれ、このコンベヤ２２により受台２８を経てトラバーサ２４の彎曲コンベヤ３０、更に送出し台２９を経てコンベヤ２３に送出され、次いで連結用のコンベヤ１５を介して放出ライン６に運ばれて所定の行先に応じて仕分られる。
　供給量が更に増大するときには、適宜な検出装置（図示しない）により供給ライン２における供給量の増大を検出し、これによつてトラバーサ２４の原動機３２を作動して移動台車２７をレール２６に沿つて移動して、アキユムレーシヨンコンベヤ２０のコンベヤ２２，２３における搬送長さを長くすることにより増大した供給量に対応して搬送物を停滞搬送して放出量に適合させることができる。また、供給量が減少したときには、減少した供給量の検出によりトラバーサ２４の原動機３２を作動してコンベヤ２２，２３の搬送長さを短くする方向に移動台車２７を移動させることによつて、減少した供給量に対応させることができる。」（２ページ左下欄１５行ないし３ページ右下欄３行）
　
ｒ）「第５，６図にはアキユムレーシヨンコンベヤの別の実施例が示されている。このアキユムレーシヨンコンベヤ５０は２つの平行なローラ形のコンベヤ５２，５３と、これらコンベヤ５２，５３間に平行に延びるレール５６に沿つて走行可能な移動台車５７上に支持されたローラ形の彎曲コンベヤ５８を有するトラバーサ５４とから成つている。コンベヤ５２，５３および彎曲コンベヤ５８は共にローラにより形成される搬送面が同一平面上に位置するようにつくられている。また、移動台車５８には、コンベヤ５２上を送られてくる搬送物を彎曲コンベヤ５８に移すように転換アーム６０が回動可能に支持されている。従つて、コンベヤ５２上を移送されてきた搬送物は転換アーム６０に当つて彎曲コンベヤ５８の方に案内され、彎曲コンベヤ５８を通つて他方のローラコンベヤ５３上に送られる。この転換アーム６０の位置を調節できるように電動機６２により回転されるねじ軸６１が転換アーム６０の支持部分にねじ係合している。また、移動台車５７をレール５６に沿つて走行させるために原動機６４により車輪６５が駆動されると共に、彎曲コンベヤ５８のローラを駆動する原動機６８が設けられている。
　この様に構成されたアキユムレーシヨンコンベヤの別の実施例においても、先のアキユムレーシヨンコンベヤと同様に供給量すなわち搬送物の増減に伴つて原動機６４により移動台車５７を移動してコンベヤ５２，５３の搬送停滞長さを調節することにより放出量と供給量とのバランスを計ることができる。」（３ページ右下欄４行ないし４ページ左上欄１４行）
　
ｓ）「上述した様に、この発明のコンベヤ装置に依れば、供給ラインと放出ライン間に、互いに間隔を置いた平行な２つのコンベヤと、これらコンベヤ間に両コンベヤと平行な方向に移動可能に設けられた移動台車に支持された彎曲コンベヤを有するトラパーサとから成るアキユムレーションコンベヤを設けて、供給量に伴う搬送量の増減に従ってトラパーサを移動して、このアキユムレーションコンベヤの搬送停滞長さを調節することによって供給量との放出量のバランスを容易に計ることが出来る。」（４ページ左上欄１５行ないし同ページ右上欄５行）
　
　オ．刊行物２の記載事項及び図面に示された内容から分かること。
ｔ）上記エ．ｐ）、ｑ）、ｒ）及びｓ）の記載並びに第１図ないし第６図に示された内容によれば、搬送物を搬送し、且つ前記搬送物を停滞するためのアキュムレーションコンベヤであって、第１の方向に駆動され、且つ、入荷ラインから補助用のコンベアを介して搬送物が供給される端部を有する一方の細長いコンベヤと、第２の反対方向に駆動され、且つ、放出ラインへ補助用のコンベアを介して搬送物が排出される端部を有する他方の細長いコンベヤであって、前記一方の細長いコンベヤと前記他方の細長いコンベヤが相互に平行であるようにされた前記他方の細長いコンベヤと、前記一方の細長いコンベア及び前記他方の細長いコンベアに略平行に移動可能であり、且つ前記一方の細長いコンベアから前記他方の細長いコンベアへ前記搬送物を移動するための彎曲コンベヤが設けられたトラバーサとを備えているアキュムレーションコンベヤが開示されていることが分かる。
　
ｕ）上記エ．ｑ）及びｒ）の記載並びに第２図ないし第６図に示された内容によればトラバーサは、レール上を走行する移動台車に車輪と原動機を備えているから、原動機を備える駆動ユニットを備えていることが分かる。
　また、原動機は、トラバーサと共に移動するように前記トラバーサの移動台車に備えられることが分かる。
　
ｖ）上記エ．ｑ）及びｒ）の記載によれば、原動機は、検出装置により検出した情報に基づいてトラバーサを移動させ、一方の細長いコンベヤ及び他方の細長いコンベヤの搬送長さを調整することが分かる。
　
　カ．刊行物２に記載された技術
　上記エ．及び上記オ．を総合すると、刊行物２には、次の事項からなる技術（以下、「刊行物２に記載された技術」という。）が記載されていると認めることができる。
「搬送物を搬送し、且つ前記搬送物を停滞するためのアキュムレーションコンベヤであって、第１の方向に駆動されることができ、且つ、入荷ラインから補助用のコンベアを介して搬送物が供給される端部を有する一方の細長いコンベヤと、第２の反対方向に駆動されることができ、且つ、放出ラインへ補助用のコンベアを介して搬送物が排出される端部を有する他方の細長いコンベヤであって、前記一方の細長いコンベヤと前記他方の細長いコンベヤが相互に平行であるようにされた前記他方の細長いコンベヤと、前記一方の細長いコンベヤ及び前記他方の細長いコンベヤに略平行に移動可能であり、且つ前記一方の細長いコンベヤから前記他方の細長いコンベヤへ前記搬送物を移動するための彎曲コンベヤが設けられ、移動するための駆動ユニットを備えるトラバーサとを備えているアキュムレーションコンベヤにおいて、前記トラバーサの前記駆動ユニットは、原動機を備え、前記原動機は、前記トラバーサと共に移動するように前記トラバーサの移動台車に備えられ、検出装置により検出した情報に基づいて前記トラバーサを移動させ、前記一方の細長いコンベヤ及び前記他方の細長いコンベヤの搬送長さを調整する技術。」
　
　
４．対比
　本願発明（以下、「前者」ともいう。）と引用発明（以下、「後者」ともいう。）とを、その機能、構造及び技術的意義を考慮して対比する。
　
・後者における「物品」は前者における「製品」に相当し、以下同様に、「搬送」は「運搬」に、「一時的に貯留」は「バッファ」に、「集積装置」は「バッファーコンベア」に、「１つ」は「少なくとも１つ」に、「細長いインフィード・コンベアＡ」は「第１の細長いコンベア」に、「物品が供給される端部」は「供給端部」に、「物品が送り出される端部」は「排出端部」に、「細長いアウトフィード・コンベアＢ」は「第２の細長いコンベア」に、「略平行」は「少なくとも略平行」に、「搬送経路」は「運搬経路」に、「延在するようにされた」は「延在する」に、「湾曲し」は「少なくとも湾曲し」に、「部分的に延在している」は「少なくとも部分的に延在している」に、「搬送部材Ｄ」は「移動ユニット」に、「略平行な経路に沿って移動可能」は「運搬経路において」「少なくとも略平行に移動可能」に、「移転する」は「移動する」に、「物品移転部材Ｈ」は「移動装置」に、「担持され」は「設けられ」に、「担持する」は「備える」に、それぞれ相当する。
　
・後者における「前記搬送部材Ｄを移動するための回転可動部材Ｅ」は、前者における「前記移動ユニットを移動するための駆動ユニット」に、「前記移動ユニットを移動するための駆動手段」という限りにおいて相当する。
　
　したがって、両者は、
「製品を運搬し、且つ前記製品をバッファするためのバッファーコンベアであって、
　少なくとも１つの第１の細長いコンベアにおいて、第１の方向に駆動されることができ、且つ供給端部を有する前記第１の細長いコンベアと、
　第２の反対方向に駆動されることができ、且つ排出端部を有する第２の細長いコンベアにおいて、前記第１の細長いコンベア及び前記第２の細長いコンベアが互いに少なくとも略平行であり、且つ互いに隣接する運搬経路に延在する前記第２の細長いコンベアであって、前記運搬経路が水平方向平面において少なくとも湾曲し、且つ、垂直方向に少なくとも部分的に延在している、前記第２の細長いコンベアと、
　移動ユニットであって、前記移動ユニットが水平方向かつ垂直方向に動くように、前記運搬経路において、前記第１の細長いコンベア及び前記第２の細長いコンベアに少なくとも略平行に移動可能であり、且つ前記第１の細長いコンベアから前記第２の細長いコンベアへ前記製品を移動するための移動装置が設けられ、前記移動ユニットを移動するための駆動手段を備える前記移動ユニットと、
を備えているバッファーコンベア。」
の点で一致し、以下の点で相違している。
　
［相違点］
　移動ユニットを移動するための駆動手段に関し、本願発明においては、「移動ユニットを移動するための駆動ユニット」であって、「前記移動ユニットの前記駆動ユニットは、駆動モータを備え、前記駆動モータは、前記移動ユニットの少なくとも垂直方向の動きを追従する方法で、前記移動ユニットに接続される」ものであるのに対して、引用発明においては、「搬送部材Ｄを移動するための回転可動部材Ｅ」であって、「前記搬送部材Ｄの前記回転可動部材Ｅは、歯６１が設けられ、前記細長いインフィード・コンベアＡに設けられたドライバＦと前記歯６１が係合して、前記細長いインフィード・コンベアＡにより回転され、また、前記細長いアウトフィード・コンベアＢに設けられたドライバＧと前記歯６１が係合して、前記細長いアウトフィード・コンベアＢによっても回転され、前記細長いインフィード・コンベアＡ及び前記細長いアウトフィード・コンベアＢ間に相対速度差が存在する場合には、前記搬送部材Ｄを前記経路に沿って前記細長いインフィード・コンベアＡ及び前記細長いアウトフィード・コンベアＢの中の速い方の方向に移動させる」ものである点。
　
　
５．判断
　上記相違点について検討する。
（１）引用発明、刊行物２に記載された技術及び本願発明は、何れも、物品を溜める機能を有するコンベアの技術分野に属するものであり、また、一方の細長いコンベアと、他方の細長いコンベアと、これらコンベアに略平行に移動可能であり、且つ、これらコンベア間で物品を移動する装置を設けたユニットとを備える基本的構成において共通している。
　そこで、本願発明と刊行物２（以下、「後者２」ともいう。）とを、その機能、構造及び技術的意義を考慮して対比する。
・後者２における「搬送物」は前者における「製品」に相当し、以下同様に、「搬送し」は「運搬し」に、「停滞する」は「バッファする」に、「アキュムレーションコンベヤ」は「バッファーコンベア」に、「入荷ラインから補助用のコンベヤを介して搬送物が供給される端部」は「供給端部」に、「一方の細長いコンベヤ」は「第１の細長いコンベア」に、「放出ラインへ補助用のコンベヤを介して搬送物が排出される端部」は「排出端部」に、「他方の細長いコンベヤ」は「第２の細長いコンベア」に、「彎曲コンベヤ」は「移動装置」に、「トラバーサ」は「移動ユニット」に、「原動機」は「駆動モータ」に、それぞれ相当する。
・後者２における「前記一方の細長いコンベヤと前記他方の細長いコンベヤが相互に平行」である態様は、前者における「前記第１の細長いコンベア及び前記第２の細長いコンベアが互いに少なくとも略平行」である態様に相当する。
・後者２における「前記一方の細長いコンベヤ及び前記他方の細長いコンベヤに略平行に移動可能」である態様は、前者における「前記第１の細長いコンベア及び前記第２の細長いコンベアに少なくとも略平行に移動可能」である態様に相当する。
・後者２における「前記原動機は、前記トラバーサと共に移動するように前記トラバーサの移動台車に備えられ」る態様は、原動機はトラバーサと共に移動することにより、トラバーサの動きを追従することになるから、前者における「前記駆動モータは、前記移動ユニットの少なくとも垂直方向の動きを追従する方法で、前記移動ユニットに接続される」という態様と、「前記駆動モータは、前記移動ユニットの動きを追従する方法で、前記移動ユニットに接続される」という限りにおいて相当する。
　そうすると、刊行物２に記載された技術は、本願発明の用語で表現すると、次のとおりの技術ということができる。
「製品を運搬し、且つ前記製品をバッファするためのバッファーコンベアであって、第１の方向に駆動されることができ、且つ供給端部を有する第１の細長いコンベアと、第２の反対方向に駆動されることができ、且つ排出端部を有する第２の細長いコンベアであって、前記第１の細長いコンベア及び前記第２の細長いコンベアが互いに少なくとも略平行であるようにされた前記第２の細長いコンベアと、前記第１の細長いコンベア及び前記第２の細長いコンベアに少なくとも略平行に移動可能であり、且つ前記第１の細長いコンベアから前記第２の細長いコンベアへ前記製品を移動するための移動装置が設けられ、移動するための駆動ユニットを備える移動ユニットとを備えているバッファーコンベアにおいて、前記移動ユニットの前記駆動ユニットは、駆動モータを備え、前記駆動モータは、前記移動ユニットの動きを追従する方法で、前記移動ユニットに接続され、検出装置により検出した情報に基づいて前記移動ユニットを移動させ、前記第１の細長いコンベア及び前記第２の細長いコンベアの搬送長さを調整する技術。」
　
（２）ところで、第１の方向に駆動される第１の細長いコンベアと、前記第１の細長いコンベアと略並行に配置され、第２の反対方向に駆動される第２の細長いコンベアと、前記第１の細長いコンベア及び前記第２の細長いコンベアに少なくとも略平行に移動可能であり、且つ前記第１の細長いコンベアから前記第２の細長いコンベアへ前記製品を移動するための移動装置が設けられ、駆動手段によって移動される移動ユニットとを備えているバッファーコンベアにおいて、駆動手段として、引用発明のように、前記第１の細長いコンベア及び前記第２の細長いコンベアのそれぞれと駆動連結し、これらコンベアから移動ユニットを移動するための駆動力を得るものは、本願の優先日前に周知（他に必要であれば、特表２００４−５２２６７１号公報（特に、段落【００１３】ないし【００２０】、段落【００２４】、段落【００２５】、第１図ないし第６図及び第９図ないし第１１図）及び米国特許第６６１２４２０号明細書（２００３年９月２日の特許明細書。第４欄４１行ないし同欄５９行及びＦＩＧ．１ないしＦＩＧ．２）を参照。）であると共に、刊行物２に記載された技術のように、個別の駆動モータや駆動装置から移動ユニットを移動するための駆動力を得るものも、本願の優先日前に周知（他に必要であれば、特表２００４−５２２６７１号公報（特に、段落【００２４】ないし【００２６】及び第１図ないし第６図）、特開平５−２８６５５２号公報（特に、段落【０００７】ないし【００１２】及び図１ないし図６）及び実願平２−３８５１３号（実開平３−１３０２３０号）のマイクロフィルム（特に、明細書７ページ１行ないし１０ページ８行及び第１図ないし第６図）を参照。）である。
　してみると、第１の方向に駆動される第１の細長いコンベアと、前記第１の細長いコンベアと略並行に配置され、第２の反対方向に駆動される第２の細長いコンベアと、前記第１の細長いコンベア及び前記第２の細長いコンベアに少なくとも略平行に移動可能であり、且つ前記第１の細長いコンベアから前記第２の細長いコンベアへ前記製品を移動するための移動装置が設けられ、駆動手段によって移動される移動ユニットとを備えているバッファーコンベアにおける駆動手段として、上記周知の駆動手段のいずれを採用するかは当業者が適宜なし得る選択事項といえる（以下、「選択事項」という。例えば、特表２００４−５２２６７１号公報の段落【００２６】を参照。）。
　ここで、引用発明において、上記相違点に係る引用発明の構成に代えて、刊行物２に記載された技術を採用すると、移動ユニット（搬送部材Ｄ）は、移動ユニット（搬送部材Ｄ）を移動するための駆動ユニットを備え、駆動ユニットは駆動モータを備えたものとなるところ、移動ユニット（搬送部材Ｄ）は水平方向かつ垂直方向に動く（すなわち、螺旋状の経路に沿って動く）のであるから、必然的に駆動モータが移動ユニット（搬送部材Ｄ）の垂直方向の動きを追従する方法で、移動ユニット（搬送部材Ｄ）に接続されたものとなる。
　なお、刊行物２において、トラバーサ（移動ユニット）が垂直方向に移動することは示されていないからといって、トラバーサ（移動ユニット）が垂直方向に移動することが否定されるものではないから、上記相違点に係る引用発明の構成に代えて、刊行物２に記載された技術を採用することが困難であるとすることはできない。
　そうすると、引用発明において、上記選択事項を考慮して、上記相違点に係る引用発明の構成に代えて、刊行物２に記載された技術を採用し、上記相違点に係る本願発明の発明特定事項とすることは、当業者が容易になし得たことである。
　
（３）そして、本願発明は、全体としてみても、引用発明及び刊行物２に記載された技術から予測される以上の格別な効果を奏するものではない。
　したがって、本願発明は、引用発明及び刊行物２に記載された技術に基づいて、当業者が容易に発明をすることができたものである。
　
　
６．むすび
　以上のとおり、本願発明は、引用発明及び刊行物２に記載された技術に基づいて、当業者が容易に発明をすることができたものであるから、特許法第２９条第２項の規定により特許を受けることができない。
　
　よって、結論のとおり審決する。